【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
少なくとも１つの電子デバイスの温度を制御する装置であって、
前記装置は、
サーマルエネルギーを交互に吸収したり放出したりする冷媒液を導くフローループと、
前記電子デバイスに係合するように前記フローループに接続されたサーマルヘッドと、
前記サーマルヘッドが装着されたマウント部分を含み、前記サーマルヘッドへかつ前記サーマルヘッドから、前記冷媒液を通すように、前記フローループの少なくとも一部を画成するベース構造と、を具備し、
前記ベース構造は、
前記マウント部分を前記ベース構造と平面配列になるよう保持し、かつ、前記サーマルヘッドが前記電子デバイスと容易に係合するよう前記マウント部分の移動を許容する分離構成要素を含むことを特徴とする装置。
【請求項２】
前記分離構成要素は、前記冷媒液の流路を画成するフレキシブルアームを少なくとも１つ含んでいることを特徴とする請求項１に記載の装置。
【請求項３】
前記分離構成要素は、複数のフレキシブルアームを有し、
前記フレキシブルアームの一つは、第一および第二の流路をそれぞれ画成することを特徴とする請求項２に記載の装置。
【請求項４】
前記複数のフレキシブルアームは、前記マウント部分を支持するフレキシブルアームを計３つ含んでいることを特徴とする請求項３に記載の装置。
【請求項５】
前記フレキシブルアームは、前記サーマルヘッドへかつ前記サーマルヘッドから、前記冷媒液の侵入および排出のための２つの流路をそれぞれ並列に画成していることを特徴とする請求項２に記載の装置。
【請求項６】
前記ベース構造は、ほぼ平坦構造を有し、
前記マウント部分および前記分離構成要素は、前記ベース構造で画成された配列スロットによって形成されていることを特徴とする請求項１に記載の装置。
【請求項７】
前記ベース構造は、互いに並設されたほぼ平坦な層を複数有することを特徴とする請求項６に記載の装置。
【請求項８】
前記ベース構造は、上層と下層の間に挟まれた中間層を有することを特徴とする請求項７に記載の装置。
【請求項９】
前記中間層は、前記フローループの前記少なくとも一部を形成する流路が画成されていることを特徴とする請求項８に記載の装置。
【請求項１０】
前記ベース構造は、互いに並設された２つの層を含み、前記２つの層の少なくとも一つは、前記フローループの前記少なくとも一部を形成する流路を画成した溝を有することを特徴とする請求項６に記載の装置。
【請求項１１】
前記フローループは、サーマルエネルギーを交互に吸収したり放出したりするため、前記冷媒液が気体と液体との間の状態に変わる、コンプレッサおよび凝縮器を含む冷凍システムで前記冷媒液を循環することを特徴とする請求項１に記載の装置。
【請求項１２】
請求項１に記載の装置において、前記ベース構造に設置されたバルブをさらに含み、前記バルブは、前記サーマルヘッドへの前記冷媒液の流れを制御するように動作することを特徴とする装置。
【請求項１３】
前記バルブは、前記マウント部分に装着されていることを特徴とする請求項１２に記載の装置。
【請求項１４】
前記バルブは、前記ベース構造の流路で配置されたピンチポイント(pinch point)によって形成されていることを特徴とする請求項１２に記載の装置。
【請求項１５】
請求項１に記載の装置において、前記サーマルヘッドを前記電子デバイスに係合状態に移動させるよう動作する制御機構をさらに有することを特徴とする装置。
【請求項１６】
前記制御機構は、圧縮ガス源により作動することを特徴とする請求項１５に記載の装置。
【請求項１７】
前記ベース構造は、各サーマルヘッドを移動させるようにした複数のマウント部分を有し、前記マウント部分の各々は、それぞれの分離構成要素によって支持されていることを特徴とする請求項１に記載の装置。
【請求項１８】
前記分離構成要素は、平坦なスプリングを含むことを特徴とする請求項１に記載の装置。
【請求項１９】
複数の電子デバイスの温度を制御する装置であって、
前記装置は、
複数のサーマルヘッドと、
前記複数のサーマルヘッドの各々を支持する複数の平坦なスプリングを有するベース構造と、を具備し、
前記複数の平坦なスプリングの各々は、各サーマルヘッドに対応する前記電子デバイスに係合させるように移動させることが可能なことを特徴とする装置。
【請求項２０】
請求項１９に記載の装置において、前記サーマルヘッドを前記各電子デバイスに係合させるように移動させるように動作する制御機構をさらに有することを特徴とする装置。
【請求項２１】
前記制御機構は、圧縮ガス源により作動することを特徴とする請求項２０に記載の装置。
【請求項２２】
前記制御機構は、前記サーマルヘッドを押して前記各電子デバイスに係合させる半剛体袋（semirigid bladder）を含むことを特徴とする請求項２１に記載の装置。
【請求項２３】
請求項２２に記載の装置において、前記ベース構造に装着され、かつ前記サーマルヘッドの各々に関連する各バルブをさらに含み、
前記半剛体袋は、前記サーマルヘッドを押して前記電子デバイスに係合させるため、前記バルブに係合することを特徴とする装置。
【請求項２４】
前記ベース構造は、前記サーマルヘッドへかつ前記サーマルヘッドから、前記冷媒液を通す流路を画成するマニホールドとして構成されていることを特徴とする請求項１９に記載の装置。
【請求項２５】
前記ベース構造は、互いに並設された複数のほぼ平坦な層を含むことを特徴とする請求項２４に記載の装置。
【請求項２６】
前記ベース構造は、上層と下層との間に挟まれた中間層を有し、前記中間層には、前記流路が画成されていることを特徴とする請求項２５に記載の装置。
【請求項２７】
前記ベース構造は、上下平行に並べられた２層を含み、前記２層の少なくとも一方が、前記流路を画成する溝を有することを特徴とする請求項２５に記載の装置。
【請求項２８】
前記平坦なスプリングの各々は、前記冷媒液の流路を画成するフレキシブルアームを少なくとも１つ含むことを特徴とする請求項１９に記載の装置。
【請求項２９】
前記平坦なスプリングの各々は、複数のフレキシブルアームを含み、そのうちの２つは、第１および第２の各流路を画成していることを特徴とする請求項２８に記載の装置。
【請求項３０】
前記複数のフレキシブルアームは、計３つ含むことを特徴とする請求項２９に記載の装置。
【請求項３１】
前記フレキシブルアームは、前記サーマルヘッドへかつ前記サーマルヘッドから、冷媒液の侵入および排出のための２つの流路をそれぞれ並列に画成していることを特徴とする請求項２８に記載の装置。
【請求項３２】
前記平面状のスプリングの各々は、前記ベース構造で画成された配列スロットにより形成されていることを特徴とする請求項１９に記載の装置。
【請求項３３】
サーマルヘッドが装着されたマウント部分を画成するほぼ平坦なベース構造を含み、
前記マウント部分は、分離構成要素に支持され、
前記分離構成要素は、前記サーマルヘッドが引っ込み位置と伸張位置との間を動くように構成され、かつ、前記ベース構造で画成された配列スロットにより生成されていることを特徴とする装置。
【請求項３４】
請求項３３に記載の装置において、前記サーマルヘッドを前記電子デバイスに係合状態に移動させるよう動作する制御機構をさらに含むことを特徴とする装置。
【請求項３５】
前記制御機構は、圧縮ガス源により作動することを特徴とする請求項３４に記載の装置。
【請求項３６】
前記ベース構造は、前記サーマルヘッドへかつ前記サーマルヘッドから、冷媒液が通る流路を画成するマニホールドとして構成されていることを特徴とする請求項３３に記載の装置。
【請求項３７】
前記ベース構造は、互いに並設されたほぼ平坦な層を複数含むことを特徴とする請求項３６に記載の装置。
【請求項３８】
前記ベース構造は、上層と下層の間に挟まれた中間層を有し、前記中間層は、前記流路を画成していることを特徴とする請求項３６に記載の装置。
【請求項３９】
前記ベース構造は、互いに上面を向かい合わせて並べられた２層を含み、前記２つの層の少なくとも一つは、前記流路を画成する溝を有することを特徴とする請求項３６に記載の装置。
【請求項４０】
サーマルヘッドが装着されたマウント部分を画成するほぼ平坦なベース構造を含み、
前記マウント部分は、分離構成要素に支持され、
前記分離構成要素は、前記サーマルヘッドが引っ込み位置と伸張位置との間を動くように構成され、冷媒液を導く流路を画成するフレキシブルアームを少なくとも一つ含むことを特徴とする装置。
【請求項４１】
前記分離構成要素は、複数のフレキシブルアームを含み、前記複数のフレキシブルアームのうちの２つは、第１および第２の流路をそれぞれ画成していることを特徴とする請求項４０に記載の装置。
【請求項４２】
前記複数のフレキシブルアームは、前記マウント部分を支持するフレキシブルアームを計３つ含むことを特徴とする請求項４０に記載の装置。
【請求項４３】
前記フレキシブルアームは、前記サーマルヘッドへかつ前記サーマルヘッドから、冷媒液の侵入および排出のための２つの流路をそれぞれ並列に画成していることを特徴とする請求項４０に記載の装置。
【請求項４４】
前記ベース構造は、互いに並設されたほぼ平坦な層を複数含むことを特徴とする請求項４０に記載の装置。
【請求項４５】
前記マウント部分および前記分離構成要素は、前記ベース構造で画成された配列スロットにより形成されていることを特徴とする請求項４４に記載の装置。
【請求項４６】
前記ベース構造は、前記マウント部分において平坦なスプリングを形成するために、少なくとも一つの配列スロットを含むことを特徴とする請求項１に記載の装置。
【請求項４７】
前記複数のフレキシブルアームは、前記マウント部分に合計３つのフレキシブルアームを含むことを特徴とする請求項３に記載の装置。
【請求項４８】
前記ベース構造は、ほぼ平坦構造を有し、
前記マウント部分および前記分離構成要素の両方は、前記少なくとも一つの配列スロットによって画成されることを特徴とする請求項４６に記載の装置。
【請求項４９】
前記ベース構造は、前記平坦なスプリングを形成するために、複数の配列スロットを含むことを特徴とする請求項１９に記載の装置。
【請求項５０】
前記配列スロットは、前記マウント部分において平坦なスプリングを形成することを特徴とする請求項３３に記載の装置。
【請求項５１】
前記ベース構造は、前記マウント部分において平坦なスプリングを形成するために、少なくとも一つの配列スロットを含むことを特徴とする請求項４０に記載の装置。
【請求項５２】
前記マウント部分および前記分離構成要素の両方は、前記少なくとも一つの配列スロットによって画成されることを特徴とする請求項４４に記載の装置。